(57)【要約】      （修正有）【課題】木棒でたたく力により鈴が動くことを防止し、さらに、鈴の振動音の鳴り時間を長くし安堵感を与える仏事用鈴を提供する。【解決手段】台座と支柱と仏事用鈴とからなり、台座中央部に垂直に取り付けた支柱の他端に、仏事用鈴の開口部を台座に向けて水平となるように、仏事用鈴の中央部を取り付けた台座付き仏事用鈴において、支柱に板ばねを使用する。【選択図】図７
0003216782.tif 000002
【実用新案登録請求の範囲】
【請求項１】
台座と支柱と仏事用鈴とからなり、台座中央部に台座に垂直に取り付けた支柱の上端に、仏事用鈴の開口部を台座に向けて水平となるように、仏事用鈴の中央部を取り付けた台座付き仏事用鈴において、支柱に板ばねを使用することを特徴とする板ばね使用台座付き仏事用鈴。
【請求項２】
支柱の板バネをＳ字型とした請求項１の板ばね使用台座付き仏事用鈴。
【請求項３】
支柱の板バネを湾曲させた請求項１又は請求項２のいずれかの板ばね使用台座付き仏事用鈴。
【請求項４】
複数枚のばね板を使用した請求項１から請求項３のいずれかの板ばね使用台座付き仏事用鈴。
【考案の詳細な説明】
【技術分野】
【０００１】
本考案は、仏壇に備える仏事用鈴に関する。
【背景技術】
【０００２】
仏壇に備える仏事用鈴（リん）は、金属製であって、図１のようにおわん形であり、開口部１１を上にして専用の座布団２の上に置いて使用されるのが一般的である。この仏事用鈴１は、仏鈴、あるいはおりんと称されることもあるが、ここでは仏事用鈴とし、また鈴とした場合にも、仏事用鈴を意味するものとする。この鈴を木製又は鉄制の棒（以下、鈴棒とする。）で鳴らしていると、鈴棒の叩く力で鈴が動いてしまい、その都度鈴を元の位置に戻したりする必要がある。また鈴は、座布団上に置かれているため、鈴棒で鈴を叩いて鳴らしたときの鈴の振動が、この座布団に吸収され、その振動音が長続きしない等という課題があった。
【０００３】
上記のような課題に対し、以下のような先行技術が見受けられる。
逆さにした略椀状のりん本体と、台座とを支持部で連結してあり、りん本体は上面凸形状の頂部に位置する中央部に平坦部又は凹部を有し、その凹部にりん棒を置き、りん棒が固定できる台座付りん（特許文献１）、中央に鈴をネジ止めするための取付部を有する円盤状の仏具用鈴台であって、鈴台の外周に鈴棒の転がりを防止する膨出部を複数箇所形成した、鈴棒を置き易くし、鈴の反響 音を調節でき、鈴を叩き易くする仏具用台（特許文献２）、椀状で底面Ｕが曲面状をなす鈴の内側に、磁石を載置し、鈴を置く箇所には磁石の磁力が及ぶ範囲に磁性部材を備えて厳かで澄んだ音色を奏でるとともに、鈴台からの鈴の離脱を防ぐことができる仏鈴（特許文献３）、おりん本体部とおりん台部とを弾性を有する連結部材にて連結しておりん本体部とおりん台部とに間隙を設け、弾性振動している反響音の鳴り時間を長くできるおりん（特許文献４）等がある。
【先行技術文献】
【特許文献】
【０００４】
【特許文献１】特許公開２０１７‐１２１５２７号公報
【特許文献２】特許公開２００９−１４８５２０号公報
【特許文献３】特許公開２００７−１５９７８７号公報
【特許文献４】特許公開２００６−３２６１１５号公報
【０００５】
特許文献１は、りん棒をりん本体の中央部に設けられた孔に置くことを特徴とするものであり、特許文献２は、円盤状の仏具用鈴台に鈴を固定し、鉄棒を置きやすくしたものであって、いずれも鈴の音色については言及がなく、特許文献３は、りんとりん台とを磁力によりりんを動きにくくするだけでなく、反響音の鳴り時間を長くできる効果も記載されているが、磁性体を必要とし、また、特許文献４では、おりん本体とおりん台部とを連結する弾性部材が必要であることから、この構造がやや複雑となり得る。
【０００６】
長年楽器部品の製造を業としている本考案者は、鈴を座布団上に置く必要はないことを住職から聞き、りんと台座を一体化し、りんの音色が長続きするような仏事用鈴の実用新案登録出願をした（実用新案登録第３１５９２３８号）。さらに、本考案者は、支柱にばね板を使用すると、鈴の振動音が長くなり、安堵感を与える音色が出ることに注目し、本考案を提出するものである。
【考案の概要】
【考案が解決しようとする課題】
【０００７】
解決しようとする課題は、鈴棒でたたく力により鈴が動くことを防止するだけでなく、鈴の振動音の鳴り時間を長くし、安堵感を与える音色が出るようにする仏事用鈴を提供することである。
【課題を解決するための手段】
【０００８】
すなわち、第１考案は、台座と支柱と仏事用鈴とからなり、台座中央部に垂直に取り付けた支柱の上端に、仏事用鈴の開口部を台座に向けて水平となるように、仏事用鈴の中央部を取り付けた台座付き仏事用鈴において、支柱に板ばねを使用することを特徴とする板ばね使用台座付き仏事用鈴である。
【０００９】
台座の中央部に垂直に板バネの支柱が固定される。その支柱の上端に鈴がその開口部が台座と水平に向き合うように取り付けられる。
図２に仏事用鈴とその各部の名称を示す。仏事用鈴１は、お椀形であり、鈴の中央部とは、お椀の底の頂点部１２をいう。その鈴の頂点部が支柱の上端に、開口部１１を下向きにして固定される。
台座と開口部は、接することなく、間隔をおいて、互いに平行に向き合っている。台座と鈴の開口部が離れ、その間をばね板が連結することにより、鈴の振動が台座に固定されたばね板に伝わり、鈴の振動音の鳴り時間を長くし、安堵感を与える音色が出るようにするものである（以下、板バネ効果とする）。
【００１０】
台座は、動き難く、鈴を支えるおもりとしての機能も兼ねているため金属製が適している。また台座の底面には滑り止めをつけるほうが良い。鈴は、主に真鍮が使用されるが、振動音が生じやすい金属であれば、その種類は問わない。
支柱には、板バネが使用される。板バネとは、ばね鋼のもつ弾性変形を利用した金属の薄板ばねを言い、本考案では鈴の振動や衝撃を吸収してやわらげる緩衝用として利用するものである。
板バネの台座への取り付けや鈴を板バネに固定する方法は、ボルトとナットを用いる方法他があるが方法は問わない。
なお、板バネの支柱を介して台座と鈴を連結したものを板ばね使用台座付き仏事用鈴とする。
【００１１】
続いて、第２考案は、支柱の板バネをＳ字型とした第１考案の板ばね使用台座付き仏事用鈴である。
【００１２】
板バネを、板状のまま支柱として使用するより、Ｓ字型として板バネを長くして支柱として使用するほうが、より、板バネ効果が上がるためである。
【００１３】
続いて、第３考案は、支柱の板バネを湾曲させた第１考案又は第２考案のいずれかの板ばね使用台座付き仏事用鈴である。
【００１４】
鈴は、金属製であり楽器の1種でもあり、その形状、材質は異なりそれに伴い音色も異なっている。その鈴の特性により、支柱となるばね板の形状を変化させて、より板バネ効果が出る場合もある。そこで、鈴の特性に合わせ、ばね板の形状を自在に湾曲させるものである。湾曲させた形には、第２考案のＳ字型だけではなく、乙字型他等もあり、ばね板を鈴の特性に適わせて形成するものである。
【００１５】
続いて、第４考案は、複数枚のばね板を使用した第１考案から第３考案のいずれかの板ばね使用台座付き仏事用鈴である。
【００１６】
支柱として使用する板バネは、1枚であってもよく、複数すなわち２枚以上の板バネを使用することもできる。鈴が大きくなれば、鈴を支えるため複数枚の板バネを使用する必要もある。複数の板バネを、台座の中央部に垂直に取り付け、上端を鈴の中央部に固定することができ、板バネ効果をさらに上げるものである。使用する複数のばね板は、同じ形状に限るものではない。
【考案の効果】
【００１７】
第１考案では、板バネを支柱として使用し、台座と鈴を離して、鈴を取り付けるため、鈴の振動音を長くさせ、さらに安堵感を与えるような鈴の音色を生ずる板バネ効果を生ずることができる。第２考案、第３考案は、板バネの形状をS字型又は湾曲させて板バネ効果をより向上させるものであり、第４考案は板バネの支柱を複数使うことにより、同様に板バネ効果を増し、より大きな鈴に使用できるようになる。
【図面の簡単な説明】
【００１８】
【図１】図１は、座布団付きの仏事用鈴と棒の写真である。
【図２】図２は、仏事用鈴の各部の名称を示した図である。
【図３】図３は、板バネを支柱とした板ばね使用台座付き仏事用鈴の概略図である。
【図４】図４は、平板の板ばねとS字型の板バネの図である。
【図５】図５は、板ばね使用台座付き仏事用鈴の試作品図の正面図と背面図である。
【図６】図６は、板ばね使用台座付き仏事用鈴の試作品図の左右側面図である。
【図７】図７は、板ばね使用台座付き仏事用鈴の試作品図の内側図である。
【考案を実施するための形態】
【００１９】
本考案の実施例を以下に示す。
【実施例１】
【００２０】
図３は、板バネを支柱とした板ばね使用台座付き仏事用鈴６の概略図であり、図３（Ａ）は平板の板バネ支柱５、（Ｂ）はＳ字型の板バネ支柱５１を使用したものである。平板板バネ支柱５を使用とＳ字型板バネ支柱を使用とでは、後者のほうが、鈴の音響が長続きするように聞こえた。
尚、図３では、仏用鈴１と台座４との距離をほぼ同じとしているが、これに限るものではなく、その距離は任意である。
【００２１】
図４は平板板ばね支柱５（右）S字型板バネ支柱５１（左）の図である。図３のように、各支柱５、５１は台座４中央部に垂直に取り付けられ、各支柱５、５１の上端に鈴の中央部１２に取り付けられる。
【実施例２】
【００２２】
図５は、板ばね使用台座付き仏事用鈴６の試作品の正面図と背面図である。台座４中央部にＳ字型板バネ支柱５１が取り付けられ、その上端に仏用鈴１の中央部１２が取り付けられている。試作品では、台座４の中央部に孔が開けられ、ボルトとナットでＳ字型板バネ支柱５１が取り付けられ、更に、仏用鈴１の中央部１２にも同様に孔があけられ、Ｓ字型板バネ支柱５１の上端と仏用鈴１が取り付けられている。
【００２３】
図６は、板ばね使用台座付き仏事用鈴６の試作品図の左右側面図である。図６では、S字型板バネ支柱５１が示されている。また、図７の板ばね使用台座付き仏事用鈴の試作品図の内側図においても同様にS字型板バネ支柱５１が示されている。
【産業上の利用可能性】
【００２４】
これまでの仏事用鈴の常識を変化させ、鈴の鳴る時間や音色を変え、さらに安堵感を与えることもでき、需要が期待できると思われる。
【符号の説明】
【００２５】
１  仏事用鈴  １１  鈴の開口部  １２  鈴の頂点部（中央部）
２  座布団  
３  鈴棒
４  台座    
５  平板板ばね支柱    ５１  Ｓ字型板バネ支柱
６  板バネ使用台座付き仏事用鈴
【図１】
0003216782.tif 000003
【図２】
0003216782.tif 000004
【図３】
0003216782.tif 000005
【図４】
0003216782.tif 000006
【図５】
0003216782.tif 000007
【図６】
0003216782.tif 000008
【図７】
0003216782.tif 000009